(57)【特許請求の範囲】
【請求項１】
上部フレーム（１２）と、後部フレーム（１４）と、背もたれフレーム（１６）と、アームレスト（１７）と、前記上部フレーム（１２）に支持された車軸受け（２４）とを有する車椅子の座部の長さを調整する調節部材（１００）であって、
一方端に前記上部フレーム（１２）の後端部を摺動可能に挿入口（２５）に挿入して前記上部フレーム（１２）を固定するネジ孔Ａと、
下端部に前記後部フレーム（１４）の上端部を固定するネジ孔Ｂと、
後端部に前記アームレスト（１７）を着設するネジ孔Ｅと、
該ネジ孔Ｅの前方に前記背もたれフレーム（１６）の中程を固定するネジ孔Ｄと、
該ネジ孔Ｄの下部に前記ネジ孔Ｄを支点として前記背もたれフレーム（１６）の角度を調節して固定することができる連続したネジ孔Ｃと、が穿設されており、
前記ネジ孔Ａ及び前記ネジ孔Ｂの固定を解除して、前記ネジ孔Ｃ及び前記ネジ孔Ｄで前記背もたれフレーム（１６）を固定する当該調整部材（１００）を、前記車軸受け（２４）を支持する前記上部フレーム（１２）に対して前後にずらすことにより、座部の長さを前後に調節可能であることを特徴とする車椅子の座部の長さ調節部材。
【請求項２】
上部フレーム（１２）と、後部フレーム（１４）と、背もたれフレーム（１６）と、アームレスト（１７）と、前記上部フレーム（１２）に支持された車軸受け（２４）と、請求項１に記載の車椅子の座部の長さ調節部材（１００）と、を備えることを特徴とする車椅子。
【発明の詳細な説明】
【技術分野】
【０００１】
車椅子の上部フレームの後端部と後部フレームの上端部に着設して座乗者の疾患状態に合わせて座部の前後の長さを調節することができる車椅子の座部の長さ調節部材に係わる。
【背景技術】
【０００２】
障害者の足ともなる車椅子は、長時間利用しても疲れない状態で座乗していることができる座部を有することが好ましい。このように座乗者の症状に合わせて車椅子を製造することが望ましいが、コスト面から問題がある。そこで座部の幅や高さを座乗者に合わせて簡単に調整するための様々な方法が報告されている。
【０００３】
特許文献１においては、段落[００１６]「使用者の体格が座部の座幅が合わないようなときは、折り畳み機構における拘束手段を解除操作して、座幅調節手段を操作する。先ず、拘束手段の操作軸における握り部を持って、保持縁で保持された状態、すなわち一対のリンクの移動端部の移動方向と逆側に微小角度折れ曲がった状態から、一対のリンクの移動端部の移動方向に力を加える。これによって、一対のリンクは回動軸を中心に変位し始め、移動端部が双方のベースフレーム上部、下部の内側辺の中間側から背フレーム取り付け側にかけてのガイドレールに沿って移動可能となる。」、及び[００１７]「かかる状態で、座幅調節手段における、リンク側に突設したピン部材を第１、第２拘束リンクの調節長穴における係止穴のいずれかに選択的に係止させて、拘束手段の操作軸における握り部を持って移動端部の移動方向と反対方向に押し込んで、前記第１、２拘束リンクを再び、リンクの移動端部の移動方向と逆側に微小角度折れ曲がった状態にたらすことで、一対のリンクの動作を拘束して、前記双方のフレーム間の距離、すなわち座幅を所望の幅に保持することができる。そして、座板を双方のフレーム上に取り付けるに当たり、座幅に応じた取付穴を選択して、ボルト止めすることとなる。」方法が開示されている。
【０００４】
特許文献２には、段落[０００５]「Ｘ字状挟動体に椅子フレーム連繋用の左右一対の上部水平杆と下部水平杆とを設け、両水平杆のいずれか一方を椅子フレームの横桁に係脱自在とし、他方を手動操作用のロック機構により椅子フレームの支柱に高さ調節自在に枢着させたものとしたから、工具を必要とすることなく極めて簡単に誰でもが短時間で座幅を調節することができるので、車椅子を貸し受ける際に待たされることもない。また利用者自身が座幅を調整することもできるので、作業員を常時配置させておく必要がなくなるので管理運営費を大幅に低減できることとなる。しかも座幅の調整機構が椅子フレームから大きく突出されて取り付けられていないので、整備時や取り扱い時に邪魔にならず、円滑に整備作業ができるうえに折り畳み時に手を挟んだり、ぶつけたりすることができない。さらにデザイン的にも優れたものとすることができる。」座幅調節機構が開示されている。
【０００５】
上記で開示されている座幅の調節機構は、いずれも折り畳み可能なＸ字状のフレームの幅を調節することによって、車椅子の座部の横幅を調節するものであり、座部の前後の幅、すなわち座部の長さを調節するものではない。車椅子の利用者や疾患の状態によっては座部の奥行きを調節することが必要な場合もあり、座部の奥行きを簡単に調節できる車椅子の出現が望まれている。
【特許文献１】特開２００３−１２５８８４号公報
【特許文献２】特開２００５−１６０７１８号公報
【発明の開示】
【発明が解決しようとする課題】
【０００６】
本発明は、車椅子の利用者の疾患の状態によって、車椅子の座部の前後の長さを簡単に調節できる車椅子の座部の長さ調節部材を提供するものである。
【課題を解決するための手段】
【０００７】
車椅子の利用者の疾患状態によって、車椅子の座部の前後の長さを簡単に調節するための、車椅子の座部の長さ調節部材は、車椅子の上部フレームの後端部に挿着して、後部フレームの上端部に固定する構造とした。また、車椅子の座部の長さ調節部材の後部には、背もたれフレームとアームレストの下端部を取着することができる。
【０００８】
本発明の特徴は、上部フレーム（１２）と、後部フレーム（１４）と、背もたれフレーム（１６）と、アームレスト（１７）と、前記上部フレーム（１２）に支持された車軸受け（２４）とを有する車椅子の座部の長さを調整する調節部材（１００）であって、一方端に前記上部フレーム（１２）の後端部を摺動可能に挿入口（２５）に挿入して前記上部フレーム（１２）を固定するネジ孔Ａと、下端部に前記後部フレーム（１４）の上端部を固定するネジ孔Ｂと、後端部に前記アームレスト（１７）を着設するネジ孔Ｅと、該ネジ孔Ｅの前方に前記背もたれフレーム（１６）の中程を固定するネジ孔Ｄと、該ネジ孔Ｄの下部に前記ネジ孔Ｄを支点として前記背もたれフレーム（１６）の角度を調節して固定することができる連続したネジ孔Ｃと、が穿設されており、前記ネジ孔Ａ及び前記ネジ孔Ｂの固定を解除して、前記ネジ孔Ｃ及び前記ネジ孔Ｄで前記背もたれフレーム（１６）を固定する当該調整部材（１００）を、前記車軸受け（２４）を支持する前記上部フレーム（１２）に対して前後にずらすことにより、座部の長さを前後に調節可能であることを特徴とする車椅子の座部の長さ調節部材である。
【０００９】
本発明の特徴は、上部フレーム（１２）と、後部フレーム（１４）と、背もたれフレーム（１６）と、アームレスト（１７）と、前記上部フレーム（１２）に支持された車軸受け（２４）と、請求項１に記載の車椅子の座部の長さ調節部材（１００）と、を備えることを特徴とする車椅子である。
【発明の効果】
【００１０】
車椅子の座部の長さ調節部材の下部に穿設された３箇所のネジ孔のいずれかを選択することによって、座乗者の疾患状態に合わせて座部の奥行きの長さを調節することができる。座乗者の疾患状態に合わせて座部の奥行き長さを調節することによって、車椅子に長時間座していても疲れない効果を有している。
【発明を実施するための最良の形態】
【００１１】
車椅子の利用者の疾患状態によって、車椅子の座部の前後の長さを簡単に調節するために、本発明の車椅子の座部の長さ調節部材は、調節部材の前端部に車椅子の上部フレームの後端部を摺動可能に挿着して、調節部材の下端部を後部フレームの上端部に固定する構造とした。また、車椅子の座部の長さ調節部材の後部には、背もたれフレームとアームレストの下端部を取着することができる形状とした。以下、図面でもって本発明の車椅子の座部の長さ調節部材について説明する。
【００１２】
本発明の車椅子の座部の長さ調節部材１００は、図１に示すように、上部フレーム１２の後端部を挿入する挿入口２５と、後部フレーム１４の上端部に固定する部分Ｂと、その上に背もたれフレームを取着する部分Ｄと、背もたれの角度を調節する部分Ｃ，後端部にアームレスト１８の下端部を装着する部分Ｅよりなる。
【００１３】
図２は、上記のように着設した車椅子の座部の長さ調節部材１００は、車椅子に座部の長さ調節部材１００を着設して、座部の長さを調節する場合は車椅子の座部の長さ調節部材１００の上部フレーム挿入口２５のネジ孔Ａのネジと、後部フレーム１４に着設したネジ孔Ｂのネジをはずして、車椅子の座部の長さ調節部材１００を後方にずらすと、前部フレーム１１と背もたれフレーム１６の間が長くなって、座乗者の疾患状態に合わせて最適の位置を選んで、座部の長さを前後に調節することができる。
【００１４】
図３は、座部の長さ調節部材１００の斜視図である。長さ調節部材１００の先端部は上部フレーム１２を挿入して、前後に摺動できるように上部フレーム１２の外径よりも若干大きな上部フレーム挿入口２５が穿設されている。上部フレーム挿入口２５の横には、上部フレーム１２を固定するためのネジ孔Ａが穿設されている。座部の長さ調節部材１００の下には、後部フレーム１４の上端部に取着するためのネジ孔Ｂが３箇所穿設されている。座部の長さ調節部材１００の後端部には、アームレスト１７を着設して固定するネジ孔Ｅが穿設されている。ネジ孔Ｅの前には背もたれフレーム１６を固定するネジ孔Ｄが穿設されており、背もたれフレーム１６はネジ孔Ｄを支点として角度が調節できるように、座部の長さ調節部材１００の下に数個のネジ孔が連続したネジ孔Ｃが穿設されており、背もたれフレーム１６の下端部を適当な位置で固定して、背もたれフレーム１６の角度を調節する。
【００１５】
図４（４−１）は、座部の長さ調節部材１００の上面図、図４（４−２）は後面図、図４（４−３）は側面図を示している。図４（４−４）は前面図、図４（４−５）は下面図をそれぞれ示している。図４（４−３）に示すネジ孔Ｃは、上記したように背もたれフレーム１６の角度を調節できるように連続した穴が穿設されている。
【００１６】
図５は、車椅子の座部の長さ調節部材１００を車椅子に着設した状態を示している。前部フレーム１１の下端部にフットレスト１８と、回動可能なキャスター１９を有し、上部フレーム１２と下部フレーム１３の間にクロスバー２１と車軸受け２４を着設した折り畳み可能な車椅子の上部フレーム１２の後端部に座部の長さ調節部材１００を着設した。車椅子の座部の長さ調節部材１００の先端部に上部フレーム１２の後端部を挿入し、車椅子の座部の長さ調節部材１００の上部前方よりガードフレーム２０、背もたれフレーム１６、アームレスト１７をそれぞれ着設した。車椅子の座部の長さ調節部材１００の後下端部は、後部フレーム１４の上端部に座乗者の適切な位置に座部の長さを調節してネジ孔Ｂをネジで固定した。
【図面の簡単な説明】
【００１７】
【図１】座部の長さ調節部材を着設した車椅子のフレームの部分側面図である。
【図２】座部の長さ調節部材を後方に移動して座部を延長した車椅子のフレームの部分側面図である。
【図３】座部の長さ調節部材の斜視図である。
【図４】座部の長さ調節部材の側面図である。
【図５】座部の長さ調節部材を着設した車椅子の側面図である。
【符号の説明】
【００１８】
１００：座部の長さ調節部材
１１：前部フレーム
１２：上部フレーム
１３：下部フレーム
１４：後部フレーム
１５：補助フレーム
１６：背もたれフレーム
１７：アームレスト
１８：フットレスト
１９：キャスター
２０：ガードフレーム
２１：クロスバー
２２：クロスバーフレーム
２３：主車輪
２４：車軸受け
２５：上部フレーム挿入口
【図１】
0005108412.tif 000002
【図２】
0005108412.tif 000003
【図３】
0005108412.tif 000004
【図４】
0005108412.tif 000005
【図５】
0005108412.tif 000006